(57)【要約】【課題】シールレス構造の固体酸化物形燃料電池において、発電セルの発電中に、燃料極層を常に還元状態に保つことにより、発電セルの割れを防止する固体酸化物形燃料電池を提供する。【解決手段】平板状の固体電解質層２の一方の表面に燃料極層３が形成され、他方の表面に空気極層４が形成された発電セル１を、燃料極層３に燃料ガスを供給するセパレータ５と空気極層４に酸化剤ガスを供給するセパレータ５とを介して板厚方向に複数積層し、かつ燃料極層３に燃料ガスおよび空気極層４に酸化剤ガスを供給して発電反応を生じさせるとともに、これにより生成した排ガスおよび上記発電反応に消費されずに残った余剰ガスを発電セル１の外周から外方へと放出するシールレス構造の固体酸化物形燃料電池において、燃料極層３は、その外周縁部３ａが固体電解質層２およびセパレータ５の外周縁部５ａより内側に配設されている。【選択図】  図１
2012209038.tif 000002
【特許請求の範囲】
【請求項１】
平板状の固体電解質層の一方の表面に燃料極層が形成され、他方の表面に空気極層が形成された発電セルを、上記燃料極層に燃料ガスを供給するセパレータと上記空気極層に酸化剤ガスを供給するセパレータとを介して板厚方向に複数積層し、かつ上記燃料極層に上記燃料ガスおよび上記空気極層に上記酸化剤ガスを供給して発電反応を生じさせるとともに、これにより生成した排ガスおよび上記発電反応に消費されずに残った余剰ガスを上記発電セルの外周から外方へと放出するシールレス構造の固体酸化物形燃料電池において、
上記燃料極層は、その外周縁部が上記固体電解質層および上記セパレータの外周縁部より内側に配設されていることを特徴とする固体酸化物形燃料電池。
【請求項２】
円筒状の固体電解質層の内表面に燃料極層が形成され、外表面に空気極層が形成された発電セルを、空気雰囲気下において、上記燃料極層の一端部側から燃料ガスを供給して発電反応を生じさせるとともに、これにより生成した排ガスおよび上記発電反応に消費されずに残った余剰ガスを上記燃料極層の他端部側から上記発電セル外へ放出するシールレス構造の固体酸化物形燃料電池において、
上記燃料極層は、上記他端部が上記固体電解質層の端部より内側に配設されていることを特徴とする固体酸化物形燃料電池。
【発明の詳細な説明】
【技術分野】
【０００１】
本発明は、発電反応により生成された排ガスおよび上記発電反応に消費されずに残った余剰ガスを発電セルの外周から外方へと放出するシールレス構造の固体酸化物形燃料電池に関するものである。
【背景技術】
【０００２】
一般に、シールレス構造の上記固体酸化物形燃料電池は、図３に示すように、平板状の固体電解質層２の一方の表面に燃料極層３を、他方の表面に空気極層４を形成した発電セル１を有し、この発電セル１の燃料極層３側に燃料極集電体６および空気極層４側に空気極集電体７をそれぞれ配置して、これら集電体の外側にセパレータ５を板厚方向に配置することにより単セル１２をなし、この単セル１２を複数積層することにより構成されている。そして、上記発電反応により生成された排ガス、および上記発電反応に消費されずに残った余剰ガスを、燃料極集電体６および空気極集電体７の外周縁部から外方に排出可能なシールレス構造になっている。
【０００３】
ここで、固体電解質層２は、高い酸素イオン伝導性を有するランタンガレート系（ＬａＧａＯ３系）材料が用いられているとともに、約２００μｍの厚さ寸法に形成されている。
【０００４】
また、燃料極層３は、Ｎｉ、Ｃｏ等の金属あるいはＮｉ−ＹＳＺ（イットリア安定化ジルコニア）、Ｎｉ−ＳＤＣ（サマリウム添加セリア）、Ｎｉ−ＧＤＣ（ガドニウム添加セリア）、Ｎｉ−ＳｃＳＺ（スカンジア安定化ジルコニア）、Ｎｉ−ＬＳＧＭ（ストロンチウム−マグネシウム添加ランタンガレート）、Ｎｉ−ＬＳＧＭＣ（ストロンチウム−マグネシウム−コバルト添加ランタンガレート）、Ｃｏ−ＹＳＺ等のサーメットで構成されている。
【０００５】
そして、空気極層４は、ランタンマンガナイト系(ＬａＭｎＯ3系）材料、ランタンコバルタイト系（ＬａＣｏＯ3系）材料、サマリウムコバルタイト系（ＳｍＣｏＯ3系）材料、バリウムコバルタイト系（ＢａＣｏＯ3系）材料で構成されている。
ちなみに、燃料極層３および空気極層４は、それぞれ固体電解質層２の表面に２０〜３０μｍの厚さ寸法で形成されている。
【０００６】
さらに、燃料極層３の表面に配置された燃料極集電体６は、Ｎｉ基合金等の多孔質焼結金属板から構成されている。また、空気極層４の表面に配置された空気極集電体７は、Ａｇ基合金等の多孔質焼結金属板から構成されている。
【０００７】
また、燃料極集電体６および空気極集電体７の各々の外側に配置されたセパレータ５は、発電セル１間を電気的に接続するとともに、発電セル１に対して水素リッチな燃料ガス（Ｈ2、ＣＯ等）および酸化剤ガス（空気）を供給する機能を有するもので、ステンレス等の金属によって形成されている。そして、このセパレータ５の内部には、その外部から導入された上記燃料ガスを燃料極集電体６との対向面のほぼ中央部から吐出させる燃料ガス流路８と、空気極集電体７との対向面のほぼ中央部から空気を吐出させる空気流路９が形成されている。
【０００８】
なお、シールレス構造の上記固体酸化物形燃料電池としては、図４に示すように、円筒状の発電セル１を用いる場合がある。この発電セル１は、円筒状の固体電解質層２０の内表面に燃料極層３０を、外表面に空気極層４０が形成され、この燃料極層３０の一端部３０ｂ側から燃料ガスが供給されるように、ガスマニホールド１０上に配設して単セル１２をなし、この単セル１２を酸素雰囲気下において複数配設することにより構成されている。そして、上記発電反応により生成された排ガス、および上記発電反応に消費されずに残った余剰ガスを、燃料極層３０の他端部３０ａから外方に排出可能なシールレス構造になっている。
【０００９】
また、燃料極層３０の一端部３０ｂ側に配設されるガスマニホール１０は、発電セル１間を電気的に接続するとともに、発電セル１に対して水素リッチな燃料ガス（Ｈ2、ＣＯ等）を供給する機能を有するもので、ステンレス等の金属によって形成されている。そして、このガスマニホールド１０の内部には、その外部から導入された上記燃料ガスを燃料極層３０の一端部３０ｂ側から吐出させる燃料ガス流路１１が形成されている。
【００１０】
ところで、このような発電セル１は、発電中に割れが発生することがある。割れの原因としては、発電セル１のセラミックス中の欠陥が主要原因と考えられている。そこで、従来、発電セル１の構造体を構成する固体電解質層２，２０、燃料極層３，３０、あるいは、空気極層４，４０を厚くするなどして強度を向上させ、発電セル１の割れを防止してきた。しかし、セラミックスは脆弱であり、機械的衝撃、熱応力、振動などにより、容易に破壊に至ってしまう。
【００１１】
そこで、発電セル１の割れについて、さらに発明者が精査したところ、上記発電中に反応に消費されずに残った余剰ガスを発電セル１の外周から外方へと放出するシールレス構造の固体酸化物形燃料電池においては、上記余剰ガスが放出される付近から割れが発生することを見出した。
【００１２】
これは、図３および図４に示すように、シールレス構造の上記固体酸化物燃料電池の場合、上記余剰ガスが放出される部分において、発電セル１の外周部の空気中の酸素と反応して燃焼し、この燃焼により、セル・スタック温度を、例えば、７５０℃の作動温度に保持することが可能となる。しかし、発電セル１の外周部での燃焼反応の場合、発電セル１に供給される燃料ガスのガス流の変化により、その燃焼部分ｔは、頻繁に揺らぐことがある。特に、都市ガスやメタンなどの炭化水素ガス燃料を用いる場合には、ガス流が大幅に変化することが判明している。
【００１３】
これにより、例えば、発電セル１に燃料が多く供給された場合は、発電セル１の外周部での燃焼部分ｔは大きくなり、逆に燃料が少なく供給された場合は、燃焼部分ｔが小さくなるとともに、燃焼部分ｔがガス放出部の外側ではなく、ガス放出部の内側まで入り込んでしまうことになる。この場合、上記余剰ガスの燃焼は、ガス放出部の内側で起こり、燃料極層３の外周縁部３ａおよび燃料極層３０の端部３０ａが、空気中の酸素と燃焼部分ｔとにより酸化されて、燃料極中の金属Ｎｉが酸化Ｎｉに変化してしまう。
【００１４】
この現象が生じると、燃料極層３，３０が酸化Ｎｉとして、体積膨張を起こし、この体積膨張によって、燃料極層３，３０を固着している固体電解質層２，２０に亀裂が生じ、これが発電セル１の割れの原因の一つとなることが判明した。
【発明の概要】
【発明が解決しようとする課題】
【００１５】
本発明は、かかる事情に鑑みてなされたものであり、シールレス構造の固体酸化物形燃料電池において、発電セルの発電中に、燃料極層を常に還元状態に保つことにより、発電セルの割れを防止する固体酸化物形燃料電池を提供することを課題とするものである。
【課題を解決するための手段】
【００１６】
上記課題を解決するために、請求項１に記載の発明は、平板状の固体電解質層の一方の表面に燃料極層が形成され、他方の表面に空気極層が形成された発電セルを、上記燃料極層に燃料ガスを供給するセパレータと上記空気極層に酸化剤ガスを供給するセパレータとを介して板厚方向に複数積層し、かつ上記燃料極層に上記燃料ガスおよび上記空気極層に上記酸化剤ガスを供給して発電反応を生じさせるとともに、これにより生成した排ガスおよび上記発電反応に消費されずに残った余剰ガスを上記発電セルの外周から外方へと放出するシールレス構造の固体酸化物形燃料電池において、上記燃料極層は、その外周縁部が上記固体電解質層および上記セパレータの外周縁部より内側に配設されていることを特徴とするものである。
【００１７】
また、請求項２に記載の発明は、円筒状の固体電解質層の内表面に燃料極層が形成され、外表面に空気極層が形成された発電セルを、空気雰囲気下において、上記燃料極層の一端部側から燃料ガスを供給して発電反応を生じさせるとともに、これにより生成した排ガスおよび上記発電反応に消費されずに残った余剰ガスを上記燃料極層の他端部側から上記発電セル外へ放出するシールレス構造の固体酸化物形燃料電池において、上記燃料極層は、上記他端部が上記固体電解質層の端部より内側に配設されていることを特徴とするものである。
【発明の効果】
【００１８】
請求項１に記載の発明によれば、平板状の発電セルにおいて、燃料極層の外周縁部を、固体電解質層およびセパレータの外周縁部よりも内側に配設しているため、固体酸化物形燃料電池の発電中、上記燃料極層の外周縁部は、空気中の酸素と接触することなく、当該外周縁部から外方へ排出される燃料ガスによって、還元雰囲気を保つことができる。これにより、上記燃料極層に供給される燃料ガスのガス流にバラツキが生じ、燃焼部分が上記固体電解質層の外周縁部に近接した場合でも、上記還元雰囲気の層により、上記燃料極層の外周縁部の酸化を防ぐことができるとともに、上記燃料極層中の金属Ｎｉが酸化Ｎｉに変化することを防ぐことができる。
【００１９】
また、請求項２に記載の発明によれば、円筒状の発電セルにおいて、発電反応により生成された排ガス、および発電反応に消費されずに残った余剰ガスが排出される上記燃料極層の他端部を、上記固体電解質層の端部よりも内側に配設しているため、固体酸化物形燃料電池の発電中、上記燃料極層の他端部は、空気中の酸素に接触することなく、当該他端部から外方へ排出される燃料ガスによって、還元雰囲気を保つことができる。これにより、上記燃料極層に供給される燃料ガスのガス流にバラツキが生じ、燃焼部分が上記固体電解質層の端部に近接した場合でも、上記還元雰囲気の層により、上記燃料極層の他端部の酸化を防ぐことができるとともに、上記燃料極層中の金属Ｎｉが酸化Ｎｉに変化することを防ぐことができる。
【００２０】
そして、上記燃料極層の酸化を防止して、上記燃料極層中の金属Ｎｉが酸化Ｎｉに変化することを防ぐことにより、上記燃料極層の体積膨張による上記固体電解質層の亀裂発生を防ぐことができる。これにより、シールレス構造の固体酸化物形燃料電池において、発電セルの割れを防ぐことができる。
【図面の簡単な説明】
【００２１】
【図１】本発明の固体酸化物形燃料電池の一実施形態を示す平板状の発電セルによる単セルの概略構成図である。
【図２】本発明の固体酸化物形燃料電池の他の実施形態を示す円筒状の発電セルによる単セルの概略構成図である。
【図３】従来の固体酸化物形燃料電池を示す平板状の発電セルによる単セルの概略構成図である。
【図４】従来の固体酸化物形燃料電池を示す円筒状の発電セルによる単セルの概略構成図である。
【発明を実施するための形態】
【００２２】
（実施形態１）
図１に示すように、本発明の固体酸化物形燃料電池の一実施形態においては、単セル１２が、平板円形状の固体電解質層２の一方の表面に燃料極層３を形成するとともに、他方の表面に空気極層４を形成した発電セル１と、この発電セル１の燃料極層３側に配置した燃料極集電体６および空気極層４側に配置した空気極集電体７と、これら集電体の外側に配置されたセパレータ５とが板厚方向に積層されることにより概略構成されている。
【００２３】
ここで、発電セル１は、平板状の固体電解質層２の一方の表面に形成された燃料極層３の外周縁部３ａが、固体電解質層２の外周縁部２ａおよびセパレータ５の外周縁部５ａより内側（中央部側）に配設されて構成されている。
【００２４】
また、燃料極層３は、Ｎｉ、Ｃｏ等の金属あるいはＮｉ−ＹＳＺ（イットリア安定化ジルコニア）、Ｎｉ−ＳＤＣ（サマリウム添加セリア）、Ｎｉ−ＧＤＣ（ガドニウム添加セリア）、Ｎｉ−ＳｃＳＺ（スカンジア安定化ジルコニア）、Ｎｉ−ＬＳＧＭ（ストロンチウム−マグネシウム添加ランタンガレート）、Ｎｉ−ＬＳＧＭＣ（ストロンチウム−マグネシウム−コバルト添加ランタンガレート）、Ｃｏ−ＹＳＺ等のサーメットで構成されている。
【００２５】
そして、空気極層４は、ランタンマンガナイト系(ＬａＭｎＯ3系）材料、ランタンコバルタイト系（ＬａＣｏＯ3系）材料、サマリウムコバルタイト系（ＳｍＣｏＯ3系）材料、バリウムコバルタイト系（ＢａＣｏＯ3系）材料で構成されている。
ちなみに、燃料極層３および空気極層４は、それぞれ固体電解質層２の表面に２０〜３０μｍの厚さ寸法で形成されている。
【００２６】
さらに、燃料極集電体６は、Ｎｉ基合金などの多孔質焼結板によって構成されている。また、空気極集電体７は、Ａｇ基合金などの多孔質焼結板によって構成されている。
【００２７】
また、セパレータ５は、ステンレス等の金属によって形成されている。そして、セパレータ５の内部には、その外部から導入された燃料ガスを燃料極集電体６との対向面のほぼ中央部から吐出させる燃料ガス流路８と、空気極集電体７との対向面のほぼ中央部から空気を吐出させる空気流路９が形成されている。
【００２８】
そして、発電セル１を挟持しているセパレータ５同士の間は、Ｎｉの多孔質焼結板からなる燃料極集電体６、およびＡｇの多孔質焼結板からなる空気極集電体７から、発電反応により生成された排ガスと、当該発電反応に消費されずに残った余剰ガスとを発電セル１の外周から外方に排出可能なシールレス構造になっている。
【００２９】
以上の構成からなる単セル１２を板厚方向に複数積層した固体酸化物形燃料電池を起動すると、図１に示すように、単セル１２を構成するセパレータ５の外部から、炭化水素ガスが改質された水素リッチな燃料ガス（Ｈ２、ＣＯ等）が燃料ガス流路８に導入され、燃料極集電体６を介して燃料極層３に供給される。また、これと同時に、セパレータ５の外部から酸化剤ガス（空気）が空気流路９に導入され、空気極集電体７を介して空気極層４に供給される。
【００３０】
これにより、上記固体酸化物形燃料電池は、発電セル１において発電反応が生じる。そして、この発電反応により、上記固体酸化物形燃料電池は、予め設定された燃料利用率に従って、負荷上昇が開始されるとともに、発電セル１の燃料極層３の外周縁部３ａおよび空気極層４の外周縁部から、上記発電反応により生成した高温の排ガス、および上記発電反応に消費されずに残った高温の余剰ガスが排出される。
【００３１】
そして、燃料極層３の外周縁部３ａから排出された上記余剰ガスが、発電セル１外周の空気中の酸素と反応して燃焼され、セル・スタックの温度を、例えば、７５０℃の作動温度に保持する。この際に、上記余剰ガスが燃焼する燃焼部分ｔは、固体電解質層２の外周縁部２ａの外側に形成される。
【００３２】
ところで、燃料極層３に供給される上記燃料ガスが炭化水素ガスの場合には、ガス流が安定せずに、燃料極層３に供給される上記燃料ガスのガス流にバラツキを生じることがある。この際、燃料極層３に供給される上記燃料ガスが少なかった場合、上記余剰ガスの燃料により生じる燃焼部分ｔが小さくなるとともに、その燃焼部分ｔが固体電解質層２の外周縁部２ａ、および燃料極集電体６の外周縁部に近接する。
【００３３】
しかし、燃料極層３の外周縁部３ａが、固体電解質層２の外周縁部２ａおよびセパレータ５の外周縁部５ａより内側に配設され、この外周縁部３ａの外方が、常に燃料極層３の外周縁部３ａから排出される燃料ガスによって、空気の流入が阻止されて、還元雰囲気にあるため、上記燃料ガスのガス流のバラツキにより、燃焼部分ｔが固体電解質層２の外周縁部２ａ、および燃料極集電体６の外周縁部に近接したとしても、燃料極層３の外周縁部３ａが、酸化されることがない。
【００３４】
これにより、上記固体酸化物形燃料電池を、例えば、７５０℃の作動温度に保持させながら稼動させても、発電セル１の上記発電反応において消費されずに残った上記余剰ガスが排出される付近からの割れを防止することが可能となる。
【００３５】
（実施形態２）
次に、図２に示すように、本発明の固体酸化物形燃料電池の他の実施形態においては、単セル１２が、円筒状の固体電解質層２０の内表面に燃料極層３０を形成するとともに、外表面に空気極層４０を形成した発電セル１と、この発電セル１の燃料極層３０の一端部３０ｂ側にガスマニホールド１０とが配設されることにより概略構成されている。
【００３６】
ここで、発電セル１は、円筒状の固体電解質層２０の内表面に形成された燃料極層３０の他端部３０ａが、固体電解質層２０の端部２０ａより、固体電解質層２０の軸線方向に対して内側（燃料ガスの上流側）に配設されている。これにより、固体電解質層２０の端部２０ａから、一段下がった位置に燃料極層３０の他端部３０ａが配設されることになる。
【００３７】
また、ガスマニホールド１０は、ステンレス等の金属によって形成されている。そして、ガスマニホールド１０の内部には、このガスマニホールド１０の外部から導入された燃料ガスを、燃料極層３０の一端部３０ｂから発電セル１の内方に吐出させる燃料ガス流路１１が形成されている。
【００３８】
そして、燃料極層３０の他端部３０ａ側は、発電反応により生成された排ガスと、当該発電反応に消費されずに残った余剰ガスとを発電セル１外に排出可能なシールレス構造になっている。
【００３９】
以上の構成からなる単セル１２を酸素雰囲気下において複数配設した固体酸化物形燃料電池を起動すると、図２に示すように、単セル１２を構成するガスマニホールド１０の外部から、炭化水素ガスが改質された水素リッチな燃料ガス（Ｈ2、ＣＯ等）が燃料ガス流路１１に導入され、燃料極層３０の一端部３０ｂ側から燃料極層３０に供給される。また、これと同時に、空気雰囲気下に置かれた単セル１２は、酸化剤ガス（空気）がが空気極層４０に直接供給される。
【００４０】
これにより、上記固体酸化物形燃料電池は、上記実施形態１と同様に、発電セル１において発電反応が生じる。そして、この発電反応により、上記固体酸化物形燃料電池は、予め設定された燃料利用率に従って、負荷上昇が開始され、燃料極層３０の他端部３０ａから、上記発電反応により生成した高温の排ガス、および上記発電反応に消費されずに残った高温の余剰ガスが排出される。
【００４１】
そして、燃料極層３０の他端部３０ａから排出された上記余剰ガスが、発電セル１外周の空気中の酸素と反応して燃焼され、セル・スタックの温度を、例えば、７５０℃の作動温度に保持する。この際に、上記余剰ガスが燃焼する燃焼部分ｔは、固体電解質層２０の端部２０ａの外方に形成される。
【００４２】
ところで、燃料極層３０に供給される上記燃料ガスが炭化水素ガスの場合には、上記実施形態１と同様に、ガス流が安定せずに、燃料極層３に供給される上記燃料ガスのガス流にバラツキを生じることがある。この際、燃料極層３０に供給される上記燃料ガスが少なかった場合、上記余剰ガスの燃料により生じる燃焼部分ｔが小さくなるとともに、その燃焼部分ｔが固体電解質層２０の端部２０ａに近接する。
【００４３】
しかし、燃料極層３０の他端部３０ａが、固体電解質層２０の端部２０ａより内側に配設され、この他端部３０ａの外方が、常に燃料極層３０の他端部３０ａから排出される燃料ガスによって、空気の流入が阻止されて、還元雰囲気にあるため、上記燃料ガスのガス流のバラツキにより、燃焼部分ｔが固体電解質層２０の端部２０ａに近接したとしても、燃料極層３０の他端部３０ａが、酸化されることがない。
【００４４】
これにより、上記固体酸化物形燃料電池を、例えば、７５０℃の作動温度に保持させながら稼動させても、発電セル１の上記発電反応において消費されずに残った上記余剰ガスが排出される付近からの割れを防止することが可能となる。
【００４５】
上述の実施の形態による固体酸化物形燃料電池によれば、実施形態１において、燃料極層３の外周縁部３ａを、固体電解質層２およびセパレータ５の外周縁部よりも内側に配設しているため、上記固体酸化物形燃料電池の発電中、燃料極層３の外周縁部３ａは、空気中の酸素と接触することなく、当該外周縁部３ａから外方へ排出される燃料ガスによって、還元雰囲気を保つことができる。これにより、燃料極層３に供給される燃料ガスのガス流にバラツキが生じ、燃焼部分ｔが固体電解質層２の外周縁部２ａに近接した場合でも、上記還元雰囲気の層により、燃料極層３の外周縁部３ａの酸化を防ぐことができるとともに、燃料極層３中の金属Ｎｉが酸化Ｎｉに変化することを防ぐことができる。
【００４６】
また、実施形態２において、発電反応により生成された排ガス、および発電反応に消費されずに残った余剰ガスが排出される燃料極層３０の他端部３０ａを、固体電解質層２０の端部２０ａよりも内側に配設しているため、上記固体酸化物形燃料電池の発電中、燃料極層３０の他端部３０ａは、空気中の酸素に接触することなく、当該他端部３０ａから外方へ排出される燃料ガスによって、還元雰囲気を保つことができる。この結果、燃料極層３０に供給される燃料ガスのガス流にバラツキが生じ、燃焼部分ｔが固体電解質層２０の端部２０ａに近接した場合でも、上記還元雰囲気の層により、燃料極層３０の他端部３０ａの酸化を防ぐことができるとともに、燃料極層３０中の金属Ｎｉが酸化Ｎｉに変化することを防ぐことができる。
【００４７】
そして、燃料極層３，３０の酸化を防止して、燃料極層３，３０中の金属Ｎｉが酸化Ｎｉに変化することを防ぐことにより、燃料極層３，３０の体積膨張による固体電解質層２，２０の亀裂発生を防ぐことができる。これにより、シールレス構造の固体酸化物形燃料電池において、発電セル１の割れを防ぐことができる。
【００４８】
なお、上記実施形態１において、平板状の固体電解質層２に、平板円形状の固体電解質層２を用いる場合のみ説明したが、これに限定されるものでなく、例えば、平板角形状の固体電解質層２を用いても対応可能である。
【産業上の利用可能性】
【００４９】
シールレス構造の固体酸化物形燃料電池に利用することができる。
【符号の説明】
【００５０】
１  発電セル
２、２０  固体電解質層
３、３０  燃料極層
４、４０  空気極層
５  セパレータ
６  燃料極集電体
７  空気極集電体
８  燃料ガス流路
９  空気流路
１０  ガスマニホールド
１１  燃料ガス流路
ｔ  燃焼部分
【図１】
2012209038.tif 000003
【図２】
2012209038.tif 000004
【図３】
2012209038.tif 000005
【図４】
2012209038.tif 000006